【手続補正書】
【提出日】平成17年2月25日(2005.2.25)
【手続補正１】
【補正対象書類名】明細書
【補正対象項目名】請求項１
【補正方法】変更
【補正の内容】
【請求項１】
複数の鋼矢板を打設して構築された矢板壁の上部に、少なくとも１つの開口部を有する上面壁、水側の前面壁及び岸側の背面壁を有する笠コンクリートブロックを、高さ調節ボルトを介して上記矢板壁上部を覆うように据え付け、次いで据え付けられた笠コンクリートブロックの内部に中詰コンクリートを打設することにより、矢板壁の上部に笠コンクリートを構築する笠コンクリートの施工方法であって、構築された笠コンクリートの背面側法面には所定の勾配を有する背面法枠が構築される護岸用矢板壁の笠コンクリート施工方法において、上記笠コンクリートブロックとして、その上面壁と前面壁と背面壁とが一体の横断面略々逆Ｕ字状に形成され、上記背面壁にはその上部に上記背面法枠と直角の位置関係を有する傾斜壁部が形成されていると共にその下部に上記傾斜壁部の下端から垂下する垂直壁部が形成されているブロック本体を使用し、このブロック本体の据付け作業時にはその背面壁の垂直壁部下方に据付け作業用の据付け隙間を設けて上記高さ調節ボルトによりブロック本体の高さ方向及び前後方向の位置決めを行い、また、中詰コンクリートの打設作業時にはこの打設作業に先駆けて上記据付け隙間の埋め戻し作業を行うことを特徴とする護岸用矢板壁の笠コンクリート施工方法。
【手続補正２】
【補正対象書類名】明細書
【補正対象項目名】請求項５
【補正方法】変更
【補正の内容】
【請求項５】
上方に位置すると共に少なくとも１つの開口部が開設された上面壁と、水側に位置する前面壁と、岸側に位置する背面壁とを有し、複数の鋼矢板を打設して構築された矢板壁の上部に高さ調節ボルトを介してこの矢板壁上部を覆うように配設され、内部には上記開口部を介して中詰コンクリートが打設されて上記矢板壁の上部に笠コンクリートが形成されると共に、上記背面壁の背面側には所定の勾配を有する背面法枠が施工される笠コンクリートブロックにおいて、上記上面壁と前面壁と背面壁とがプレキャストにより一体に形成されて横断面略々逆Ｕ字状のブロック本体を構成し、このブロック本体の背面壁にはその上部に上記背面法枠と直角の位置関係を有する傾斜壁部が形成されていると共にその下部に上記傾斜壁部の下端から垂下する垂直壁部が形成されていることを特徴とする護岸用矢板壁の笠コンクリートブロック。
【手続補正３】
【補正対象書類名】明細書
【補正対象項目名】請求項７
【補正方法】変更
【補正の内容】
【請求項７】
複数の鋼矢板を打設して構築された矢板壁の上部には開口部を有する上面壁と水側に位置する前面壁と岸側に位置する背面壁とを有する笠コンクリートブロックをこの矢板壁上部を覆うように配設し、上記笠コンクリートブロックの内部には上記開口部を介して中詰コンクリートを打設して上記矢板壁の上部に笠コンクリートを形成する際に、上記矢板壁の上部に取り付けられて笠コンクリートブロックの高さ調整をするための高さ調節ボルトであり、矢板壁の上部壁面に当接する当接板とこの当接板に相対面する対向板とを有して矢板壁の上部を跨ぐように配設されるグリップ部と、このグリップ部の対向板に設けられた雌ねじ孔に螺合し、先端が矢板壁の上部壁面に当接してグリップ部をこの矢板壁の上部に固定する固定ボルトと、上記グリップ部の当接板にその上下方向に固着された高ナット部と、この高ナット部に螺合するアジャスターボルトとを備えていることを特徴とする護岸用矢板壁の笠コンクリート施工用の高さ調節ボルト。
【手続補正４】
【補正対象書類名】明細書
【補正対象項目名】０００１
【補正方法】変更
【補正の内容】
【０００１】
【発明の属する技術分野】
この発明は、複数の鋼矢板を打設して構築された矢板壁の上部に構築される護岸用矢板壁の笠コンクリートの施工方法及びこの笠コンクリートの施工の際に使用する笠コンクリートブロック並びに高さ調節ボルトに関する。
【手続補正５】
【補正対象書類名】明細書
【補正対象項目名】０００２
【補正方法】変更
【補正の内容】
【０００２】
【従来の技術】
河岸や海岸等における護岸工事等においては、複数の鋼矢板を打設して矢板壁を構築し、この矢板壁の上部に笠コンクリートを構築し、更に、笠コンクリートの背面側に所定の勾配を有する背面法枠を施工することがしばしば行われている。
【手続補正６】
【補正対象書類名】明細書
【補正対象項目名】０００３
【補正方法】変更
【補正の内容】
【０００３】
そして、このように笠コンクリートの背面側に所定の勾配を有する背面法枠を施工する必要がある場合には、矢板壁の上部における笠コンクリートの施工に用いられる笠コンクリートブロックは、図１６に示すように、複数の鋼矢板を打設して構築された矢板壁100の上部に、上方に位置すると共にの開口部109が開設された上面壁103と、水側に位置する前面壁104と、この前面壁の下端より岸側に向けて突設され、先端が矢板壁100の壁面凹凸形状の形状に略々倣った形状の底面壁105とを有するブロック部材（Ａピース）101と、このブロック部材101の上面壁をその背面側で支持すると共に背面法枠106と直角の位置関係を有する傾斜受面107とこの傾斜受面107の下端から垂下する垂直面108とを有するブロック部材（Ｂピース）102とで構成されている（例えば、特開平10-68,111号公報の図７、特開平11-315,523号公報の図６、特開2000-8342号公報の図７、特開2000-8343号公報の図９等を参照）。
【手続補正７】
【補正対象書類名】明細書
【補正対象項目名】００１１
【補正方法】変更
【補正の内容】
【００１１】
【課題を解決するための手段】
すなわち、本発明は、複数の鋼矢板を打設して構築された矢板壁の上部に、少なくとも１つの開口部を有する上面壁、水側の前面壁及び岸側の背面壁を有する笠コンクリートブロックを、高さ調節ボルトを介して上記矢板壁上部を覆うように据え付け、次いで据え付けられた笠コンクリートブロックの内部に中詰コンクリートを打設することにより、矢板壁の上部に笠コンクリートを構築する笠コンクリートの施工方法であって、構築された笠コンクリートの背面側法面には所定の勾配を有する背面法枠が構築される護岸用矢板壁の笠コンクリート施工方法において、上記笠コンクリートブロックとして、その上面壁と前面壁と背面壁とが一体の横断面略々逆Ｕ字状に形成され、上記背面壁にはその上部に上記背面法枠と直角の位置関係を有する傾斜壁部が形成されていると共にその下部に上記傾斜壁部の下端から垂下する垂直壁部が形成されているブロック本体を使用し、このブロック本体の据付け作業時にはその背面壁の垂直壁部下方に据付け作業用の据付け隙間を設けて上記高さ調節ボルトによりブロック本体の高さ方向及び前後方向の位置決めを行い、また、中詰コンクリートの打設作業時にはこの打設作業に先駆けて上記据付け隙間の埋め戻し作業を行うことを特徴とする護岸用矢板壁の笠コンクリート施工方法である。
【手続補正８】
【補正対象書類名】明細書
【補正対象項目名】００１２
【補正方法】変更
【補正の内容】
【００１２】
また、本発明は、上方に位置すると共に少なくとも１つの開口部が開設された上面壁と、水側に位置する前面壁と、岸側に位置する背面壁とを有し、複数の鋼矢板を打設して構築された矢板壁の上部に高さ調節ボルトを介してこの矢板壁上部を覆うように配設され、内部には上記開口部を介して中詰コンクリートが打設されて上記矢板壁の上部に笠コンクリートが形成されると共に、上記背面壁の背面側には所定の勾配を有する背面法枠が施工される笠コンクリートブロックにおいて、上記上面壁と前面壁と背面壁とがプレキャストにより一体に形成されて横断面略々逆Ｕ字状のブロック本体を構成し、このブロック本体の背面壁にはその上部に上記背面法枠と直角の位置関係を有する傾斜壁部が形成されていると共にその下部に上記傾斜壁部の下端から垂下する垂直壁部が形成されていることを特徴とする護岸用矢板壁の笠コンクリートブロックである。
【手続補正９】
【補正対象書類名】明細書
【補正対象項目名】００１３
【補正方法】変更
【補正の内容】
【００１３】
更に、本発明は、複数の鋼矢板を打設して構築された矢板壁の上部には開口部を有する上面壁と水側に位置する前面壁と岸側に位置する背面壁とを有する笠コンクリートブロックをこの矢板壁上部を覆うように配設し、上記笠コンクリートブロックの内部には上記開口部を介して中詰コンクリートを打設して上記矢板壁の上部に笠コンクリートを形成する際に、上記矢板壁の上部に取り付けられて笠コンクリートブロックの高さ調整をするための高さ調節ボルトであり、矢板壁の上部壁面に当接する当接板とこの当接板に相対面する対向板とを有して矢板壁の上部を跨ぐように配設されるグリップ部と、このグリップ部の対向板に設けられた雌ねじ孔に螺合し、先端が矢板壁の上部壁面に当接してグリップ部をこの矢板壁の上部に固定する固定ボルトと、上記グリップ部の当接板にその上下方向に固着された高ナット部と、この高ナット部に螺合するアジャスターボルトとを備えていることを特徴とする護岸用矢板壁の笠コンクリート施工用の高さ調節ボルトである。
【手続補正１０】
【補正対象書類名】明細書
【補正対象項目名】００２１
【補正方法】変更
【補正の内容】
【００２１】
図１及び図２に、本発明の実施例に係る護岸用矢板壁の笠コンクリートの構築構造が示されている。この笠コンクリートの構築構造は、多数の鋼矢板1aを連続状に打設して構築された矢板壁１の上部に、プレキャストにより横断面略々逆Ｕ字状に形成された笠コンクリートブロック２を後述する図示外の高さ調節ボルトを介してこの矢板壁１上部を覆うように据え付け、この笠コンクリートブロック２内にはその上面壁３に開設された開口部3aより図示外の中詰コンクリートを打設して構成されており、笠コンクリートブロック２の背面側には所定の勾配を有する背面法枠106が施工されるようになっている。